(57)【要約】 【課題】足は第２の心臓と言われています。血液を送り込むポンプの役割をしています。腰掛けたり、寝ながら足の機能回復や筋力アップと健康の維持増進を図ることができると共に痴呆防止に効果のある足踏みの歩行回復訓練健康機器を提供する。【解決手段】材木廃材等で台盤と一体的に構成された本体と、同本体に装着された支持ピンと、同支持ピンに支持カラーを介して回動可能に挿着された一対のペダルとからなる歩行回復訓練健康機器である。【選択図】  図１
2009066037.tif 000002
【特許請求の範囲】
【請求項１】
台盤と一体的に構成した本体と、同本体に装着された支持ピンと、同支持ピンに回動可能に挿着された一対のペダルとからなることを特徴とする歩行回復訓練健康機器。
【請求項２】
上記本体に上記支持ピンを挿装着する切込み溝およびまたは、穴を少なくとも一箇所以上刻設したことを特徴とする請求項１に記載の歩行回復訓練健康機器。
【請求項３】
上記ペダルの支持ピンよりも越えた下方にスプリングを付設してなることを特徴とする請求項１および請求項２に記載の歩行回復訓練健康機器。
【発明の詳細な説明】
【技術分野】
【０００１】
本発明は、安全に足を主体とした歩行回復訓練の筋力アップと健康の維持増進を図ることができると共に、痴呆防止に効果のある足踏みの歩行回復訓練健康機器を提供する。
【背景技術】
【０００２】
従来、歩行回復訓練健康機器が市販されているが、複雑で、高価なものが多かった。自然木を活用したものや、シンプルで安価な歩行回復訓練健康機器は見当たらなかった。
【特許文献１】特開２００４−２０８９７６
【発明の開示】
【発明が解決しようとする課題】
【０００３】
そこで、本発明者は、流木や自然木間伐材や材木廃材などを活用した安価で、シンプルな歩行回復訓練健康機器を提供するものである。
【０００４】
従って、本発明は、従来の欠点を除去せしめて、安全に足を主体とした歩行回復訓練の筋力アップと健康の維持増進を図ることができると共に痴呆防止に効果のある足踏みの歩行回復訓練健康機器を提供する。
更に、素材に木材を活用したので、今まで廃材とされていた流木や自然木間伐材や材木廃材などを有効資源に替えることができ、焼却しなくても済むので地球環境的にもよい。また、歩行回復訓練者には素材が木材につき、従来の金属やゴム製ペダルに比べて、肌触り感触が良く心の安らぎにもなる。
【課題を解決するための手段】
【０００５】
本発明者は、台盤で構成された本体と、同本体に挿装着された支持ピンと、同支持ピンに回動可能に挿着された一対のペダルとからなる歩行回復訓練健康機器を発明した。
更に、歩行回復訓練健康機器の本体に支持ピンを挿装着する切込み溝およびまたは穴を少なくとも一箇所以上刻設して、支持ピンを切込み溝や穴の両側からワッシャーを介して締結し、ペダルの取付位置を機器の使用者に合わせて，調節可能とした。また、上記ペダルの支持ピンよりも越えた下方にスプリングを付設し、スプリングの線の太さや巻き数や長さやによって異なったスプリングを選択使用することで、筋力の加圧力を調整できるようにした。
【発明の効果】
【０００６】
本発明では、上記構成としたことにより、本発明の歩行回復訓練健康機器によれば、従来の欠点を除去せしめて、安全に足を主体とした歩行回復訓練の筋力アップと健康の維持増進を図ることができると共に痴呆防止に効果のある足踏みの歩行回復訓練健康機器を提供できた。
素材に木材を活用したので、今まで廃材とされていた流木や自然木間伐材や材木廃材などを有効資源に替えることができ、歩行回復訓練者には素材が木材につき、従来の金属やゴム製ペダルに比べて、肌触り感触が良く心の安らぎが得られた。更に、歩行回復訓練健康機器の本体に支持ピンを装着する切込み溝およびまたは穴を少なくとも一箇所以上刻設して、支持ピンを切込み溝や穴の両側からワッシャーを介して締結し、ペダルの取付位置を機器の使用者に合わせて調節可能にした。
【発明を実施するための最良の形態】
【０００７】
本発明に係る一実施例を図１を用いて以下説明する。
【実施例１】
【０００８】
図１は本発明に係る実施例１を示す図で、以下、その概要構成を説明する。
材木廃材等で台盤２と本体１とを一体的に構成した。本体１には支持ピン５を挿装着し、同支持ピン５に支持カラー３を介して回動可能に一対のペダル４を挿着し、更に、支持ピン５両側に第一のワッシャー６ａを挿入後、支持ピン５端のネジ部５ａに第一締結用ナット１６ａを締め付けてなる歩行回復訓練健康機器である。
【実施例２】
【０００９】
図２は本発明に係る実施例２を示す図で、本実施例では、上記実施例に加えて、歩行回復訓練健康機器の本体１に支持ピン５を装備する切込み溝１１に連通する穴１２を３箇所に穴１２ａ、１２ｂ、１２ｃを刻設して、支持ピン５を切込み溝１１や穴１２の両側から第一ワッシャー６ａ、第二のワッシャー６ｂを第一の締結用ナット１６ａ、第二の締結用ナット１６ｂを介して締結したので、ペダル４の取付位置を機器の使用者に合わせて調整可能とする際には、本体１から支持ピン５を取り外すことなく、図３に図示する第二の締結用ナット１６ｂを、緩めて、切込み溝１１に連通する３つの穴１２ａ、１２ｂ、１２ｃ内の最適な穴１２支持ピン５を移動したあと、第二の連結用ナット１６ｂを締め付けることにより、所望の取付位置に調整が可能となった。
【実施例３】
【００１０】
図４は本発明に係る実施例３を示す図で、実施例では、歩行回復訓練健康機器の本体１に支持ピン５と、支持カラー３を介して一対のペダル４を取り付けた上記実施例に加えて、支持ピン５よりも越えて、足の指付近の下方に、スプリング取付板７にスプリング８を付設してスプリング８の線の太さや巻き数や長さやによって、筋力の加圧力を調整できる歩行回復訓練健康機器とした。また、ペダル４には、図示するように、足の甲当てカバー９を取り付け、ペダル４から足Ｆから抜け落ちないようにした。
【実施例４】
【００１１】
図５は本発明に係る実施例４を示す図で、実施例では、台盤２の下に、滑り止め１３を釘または木ねじ等で取り付ける。滑り止めは弾性ゴムや樹脂やホースなどでもよい。台盤が動かないようになるべく摩擦係数が大きいものを使用するとよい。
【産業上の利用可能性】
【００１２】
本発明に係る本体（材木廃材）、台盤，およびぺダルの材質について、地球環境問題や間伐材の有効利用問題を重要視し、今まで廃材とされていた流木や自然木間伐材や材木廃材などを有効資源に替えることができるようになったが、
近年、木材と樹脂をミックスした新素材も開発されて、自然木材と見分けがつかないプラスチックや硬質成型ゴムなどが実用化されており、こうした新素材を拒むものではない。
【図面の簡単な説明】
【００１３】
【図１】本発明に係る実施例１を示す歩行回復訓練健康機器を示す斜視図である。
【図２】本体に切込み溝や穴を少なくとも一箇所以上刻設した状況を示す側面  図。
【図３】支持カラーと支持ピンの締結を示す説明図。
【図４】ペダル下方のスプリング取付板にスプリングを付設した側面図である。
【図５】台盤の下に弾性体の滑り止めを付設した側面図である。
【符号の説明】
【００１４】
１：本体（材木廃材）
２：台盤
３：支持カラー 
４：ペダル
５：支持ピン
５ａ：支持ピン端のネジ部
６ａ：第一のワッシャー
６ｂ：第二のワッシャー
７：スプリング取付板
８：スプリング
９：足の甲当てカバー
１１：切込み溝
１２ａ：本体に刻設した上部の穴
１２ｂ：本体に刻設した中間部の穴
１２ｃ：本体に刻設した下部の穴
１３：滑り止め
１４：釘または木ねじ
１６ａ：第一連結用ナット
１６ｂ：第二の連結用ナット
Ｆ：足
【図１】
2009066037.tif 000003
【図２】
2009066037.tif 000004
【図３】
2009066037.tif 000005
【図４】
2009066037.tif 000006
【図５】
2009066037.tif 000007